(57)【要約】【課題】クローラ緊張輪の前後位置調節を行なう調節ネジ軸を採用するものでありながら、クローラベルトの取り外しを迅速に行なうことができるクローラ走行装置を提供する。【解決手段】クローラベルト２５の左右一対の芯金突起２５ｃ，２５ｃの間にクローラベルト２５の長手方向に沿って入り込むクローラガイド２７をトラックフレーム２２に支持させるようにクローラガイド２７に設けられるガイド取付け部２７ａを、トラックフレーム２２に脱着自在に連結してある。クローラ緊張輪３１を支持する張力調整フレーム３２に連結する調節ネジ軸３４を、ガイド取付け部２７ａに設けたネジ軸係合部３３を反力点にして張力調整フレーム３２をトラックフレーム２２に対して前後位置調節するようにネジ軸係合部３３に回転自在に係止させてある。【選択図】図４
2011240849.tif 000002
【特許請求の範囲】
【請求項１】
クローラベルトの張力調節を行なうようにクローラ緊張輪を回転自在に支持するとともにトラックフレームに前後位置調節自在に支持される張力調整フレームと、前記クローラベルトに設けられた左右一対の芯金突起の間に前記クローラベルトの長手方向に沿って入り込むクローラガイドとを備えたクローラ走行装置であって、
前記クローラガイドを前記トラックフレームに支持させるように前記クローラガイドに設けられるガイド取付け部を、前記トラックフレームに脱着自在に連結し、
前記ガイド取付け部にネジ軸係合部を設けるとともに、前記張力調整フレームに連結する調節ネジ軸を、前記ネジ軸係合部を反力点にして前記張力調整フレームを前記トラックフレームに対して前後位置調節するように前記ネジ軸係合部に回転自在に係止させてあるクローラ走行装置。
【請求項２】
前記クローラ緊張輪のための支軸を、前記張力調整フレームに対して走行装置横外側に偏倚させて前記クローラ緊張輪を支持するように前記張力調整フレームから横向きに突出させ、
前記ネジ軸係合部を、前記調節ネジ軸の軸芯が前記クローラ緊張輪の回転軸芯を通る状態で前記調節ネジ軸を係止するよう構成してある請求項１記載のクローラ走行装置。
【請求項３】
前記支軸に一端側が当接し、他端側が前記調節ネジ軸に連結するネジ軸受け部材を介して前記支軸に前記調節ネジ軸を支持作用させてある請求項２記載のクローラ走行装置。
【発明の詳細な説明】
【技術分野】
【０００１】
本発明は、クローラベルトの張力調節を行なうようにクローラ緊張輪を回転自在に支持するとともにトラックフレームに前後位置調節自在に支持される張力調整フレームと、前記クローラベルトに設けられた左右一対の芯金突起の間に前記クローラベルトの長手方向に沿って入り込むクローラガイドとを備えたクローラ走行装置に関する。
【背景技術】
【０００２】
上記したクローラ走行装置として、従来、例えば特許文献１に記載されたものがあった。特許文献１に記載されたクローラ走行装置では、クローラ緊張輪としての緊張輪、及びクローラガイドとしてのガイド本体を備えている。
【先行技術文献】
【特許文献】
【０００３】
【特許文献１】特開２００９−７８７７２号公報
【発明の概要】
【発明が解決しようとする課題】
【０００４】
上記したクローラ走行装置では、クローラベルトの点検や交換を行なうなど、クローラベルトを取り外す場合、クローラ緊張輪とクローラベルトの係合を解除する他に、クローラガイドの取り外しが行なわれる。
【０００５】
クローラ緊張輪を回転自在に支持するとともにトラックフレームに前後位置調節自在に支持される張力調整フレーム、及びこの張力調整フレームに連結された調節ネジ軸を設けたものにおいて、クローラ緊張輪とクローラベルトの係合を解除するのに、調節ネジ軸を緩み側に回転操作することによってクローラ緊張輪を緊張付与位置から係合解除位置に大ストロークにわたって移動させるものであれば、クローラ緊張輪とクローラベルトの係合解除に掛かる手間が大になり、クローラベルトの取り外しに掛かる時間が大になる。
【０００６】
本発明の目的は、調節ネジ軸を採用するものでありながら、クローラベルトの取り外しを迅速に行なうことができるクローラ走行装置を提供することにある。
【課題を解決するための手段】
【０００７】
本第１発明は、クローラベルトの張力調節を行なうようにクローラ緊張輪を回転自在に支持するとともにトラックフレームに前後位置調節自在に支持される張力調整フレームと、前記クローラベルトに設けられた左右一対の芯金突起の間に前記クローラベルトの長手方向に沿って入り込むクローラガイドとを備えたクローラ走行装置において、
前記クローラガイドを前記トラックフレームに支持させるように前記クローラガイドに設けられるガイド取付け部を、前記トラックフレームに脱着自在に連結し、
前記ガイド取付け部にネジ軸係合部を設けるとともに、前記張力調整フレームに連結する調節ネジ軸を、前記ネジ軸係合部を反力点にして前記張力調整フレームを前記トラックフレームに対して前後位置調節するように前記ネジ軸係合部に回転自在に係止させてある。
【０００８】
本第１発明の構成によると、調節ネジ軸を緩み側に操作してクローラ緊張輪に掛かるクローラベルトの張力が弱くなれば、クローラガイドにおけるガイド取付け部のトラックフレームに対する連結を解除する。ガイド取付け部のトラックフレームに対する連結を解除すれば、クローラガイドをトラックフレームから取り外して接地転輪及びクローラベルトから外すことができ、かつネジ軸係合部による調節ネジ軸の支持を解除させて調節ネジ軸を回転させることなく緩み側に移動させ、張力調整フレーム及びクローラ緊張輪を緩み側に移動させてクローラ緊張輪のクローラベルトに対する係合を解除することができる。つまり、調節ネジ軸を少し操作してガイド取付け部のトラックフレームに対する連結を解除すれば、調節ネジ軸を再度操作せずとも、張力調整フレーム及びクローラ緊張輪を緩み側に移動させてクローラ緊張輪のクローラベルトに対する係合を解除することができる。
【０００９】
従って、調節ネジ軸の操作だけによってクローラ緊張輪とクローラベルトの係合を解除する操作とクローラガイドを取り外す操作とを別々に行なってクローラベルトの取り外しを行なうものに比べ、調節ネジ軸の緩み側への操作を少なく済ませて迅速にクローラベルトを取り外すことができ、クローラベルトの点検や交換作業を能率よく行なうことができる。
【００１０】
本第２発明では、前記クローラ緊張輪のための支軸を、前記張力調整フレームに対して走行装置横外側に偏倚させて前記クローラ緊張輪を支持するように前記張力調整フレームから横向きに突出させ、前記ネジ軸係合部を、前記調節ネジ軸の軸芯が前記クローラ緊張輪の回転軸芯を通る状態で前記調節ネジ軸を係止するよう構成してある。
【００１１】
本第２発明の構成によると、張力調整フレームから横向きに突出した支軸にクローラ緊張輪が支持されて張力調整フレームに対して走行装置横外側に偏倚した部位にクローラベルトの張力が掛かるのに対して、軸芯がクローラ緊張輪の回転軸芯を通る状態にある調節ネジ軸を支持作用させ、張力調整フレームなどをねじりが発生しにくいように強固に支持させることができる。
【００１２】
従って、張力調整フレームに対して走行装置横外側に偏倚した部位にクローラベルトの張力が掛かるものでありながら、調節ネジ軸の軸芯がクローラ緊張輪の回転軸芯を通る状態で調節ネジ軸を係止するようネジ軸係合部を構成した簡単な構造によって張力調整フレームなどのねじりを発生しにくくして、クローラベルトがスムーズに駆動されるクローラ走行装置を安価に得ることができる。
【００１３】
本第３発明では、前記支軸に一端側が当接し、他端側が前記調節ネジ軸に連結するネジ軸受け部材を介して前記支軸に前記調節ネジ軸を支持作用させてある。
【００１４】
本第３発明の構成によると、張力調整フレームから横向きに突出した支軸の張力調整フレームに対して走行装置横外側に偏倚した部位にクローラベルトの張力が掛かるものでありながら、軸芯がクローラ緊張輪の回転軸芯を通る状態に調節ネジ軸が、支軸に一端側が当接し、他端側が調節ネジ軸に当接するネジ軸受け部材を介して支軸に支持作用して、張力調整フレーム及び支軸をねじりが発生しにくいように強固に支持させることができる。
【００１５】
従って、張力調整フレームに対して走行装置横外側に偏倚した部位にクローラベルトの張力が掛かるものでありながら、調節ネジ軸の軸芯がクローラ緊張輪の回転軸芯を通る状態で調節ネジ軸を係止するようネジ軸係合部を構成し、かつ調節ネジ軸と支軸の間にネジ軸受け部材を介在させる簡単な構造によって張力調整フレーム及び支軸のねじりを発生しにくくして、クローラベルトがスムーズに駆動されるクローラ走行装置を安価に得ることができる。
【図面の簡単な説明】
【００１６】
【図１】コンバインの全体を示す側面図である。
【図２】コンバインの全体を示す平面図である。
【図３】クローラ走行装置の全体を示す側面図である。
【図４】クローラ走行装置の後部を示す側面図である。
【図５】クローラ走行装置の後部を示す平面図である。
【図６】図４のＶＩ−ＶＩ断面矢視図である。
【図７】（ａ），（ｂ）は、クローラベルトの取り外し要領を示す説明図である。
【図８】フィーダを脱穀装置に連結する連結構造を示す縦断正面図である。
【図９】フィーダを脱穀装置に連結する連結構造であって、別実施形態を備えた連結構造を示す縦断正面図である。
【図１０】第１の別実施形態を備えたクローラ張力調整機構を示す側面図である。
【図１１】図１０のＸＩ−ＸＩ断面矢視図である。
【図１２】第２の別実施形態を備えたクローラ張力調整機構を示す斜視図である。
【図１３】突っ張りボルトの作用状態を示す縦断面図である。
【図１４】第３の別実施形態を備えたクローラ張力調整機構を示す斜視図である。
【図１５】締め付けボルトの作用状態を示す断面図である。
【発明を実施するための形態】
【００１７】
以下、本発明の実施の形態を図面に基づいて説明する。
図１は、本発明の実施例に係るクローラ走行装置１が装備されたコンバインの全体を示す側面図である。図２は、本発明の実施例に係るクローラ走行装置１が装備されたコンバインの全体を示す平面図である。これらの図に示すように、コンバインは、左右一対のクローラ走行装置１，１、運転部２、運転座席２ａの下方に設けられた原動部３を有した走行機体を備え、この走行機体の機体フレーム４の後部に走行機体横方向に並べて設けた脱穀装置５と穀粒袋詰め部６を備え、脱穀装置５の前部にフィーダ１１が連結された刈取り部１０を備えて構成してある。
【００１８】
このコンバインは、稲、麦などの収穫作業を行なうものであり、つぎの如く構成してある。
【００１９】
走行機体は、原動部３に設けられたエンジン（図示せず）が出力する駆動力を左右一対のクローラ走行装置１，１のクローラ駆動輪体２０に伝達して左右一対のクローラ走行装置１，１を駆動して自走する。
【００２０】
刈取り部１０は、フィーダ１１の前端部と機体フレーム４に連結された油圧シリンダ７によってフィーダ１１が昇降軸芯Ｐまわりに上下に揺動操作されることにより、フィーダ１１の前端部に連結しているヘッダ部１２の下部が地面近くに下降した下降作業状態と、ヘッダ部１２が地面から高く上昇した上昇非作業状態とに昇降操作される。刈取り部１０を下降作業状態に下降させた状態で走行機体を走行させると、刈取り部１０は、左右一対のデバイダ１３，１３によって植立穀稈を刈り取り対象と非刈り取り対象とに分草し、刈り取り対象の植立穀稈を回転リール１４のタイン１４ａによってヘッダ部１２の後方側に掻き寄せながらバリカン形の刈取装置１５によって刈り取り、刈取装置１５からの刈り取り穀稈を回転駆動されるオーガ１６の左右一対の螺旋板１６ａ，１６ａによって底板１７に沿わせてフィーダ１１の前側に横送りし、フィーダ１１の前側に送られた刈取り穀稈の株元から穂先までの全体をオーガ１６に設けられた掻き送りアーム１６ｂによってフィーダ１１に送り込んでフィーダ１１のコンベヤ１１ａによって脱穀装置５に供給する。
【００２１】
脱穀装置５は、フィーダ１１のコンベヤ１１ａによって刈取り穀稈の株元から穂先までの全体が扱室（図示せ）に供給され、供給された刈取り穀稈を脱穀処理し、脱穀粒を塵埃と選別してから搬出する。
【００２２】
穀粒袋詰め部６は、ホッパー形に形成されるとともに袋詰め用の吐出口が設けられた袋詰めタンク６ａを備え、脱穀装置５が搬出した脱穀粒を揚穀装置８によって袋詰めタンク６ａに供給されて貯留する。
【００２３】
クローラ走行装置１について説明する。
図３は、クローラ走行装置１の全体を示す側面図である。この図に示すように、クローラ走行装置１は、機体フレーム４に前後一対の連結フレーム２１，２１を介して支持されるトラックフレーム２２と、トラックフレーム２２の前端部の上方に位置するクローラ駆動輪２０と、トラックフレーム２２に走行装置前後方向に並べて回転自在に支持させた５個の接地転輪２３と、トラックフレーム２２の後方に位置するクローラ緊張輪３１を有したクローラ張力調整機構３０と、トラックフレーム２２の後端側の上方に位置する上部転輪２４と、クローラ駆動輪２０、５個の接地転輪２３、クローラ緊張輪３１及び上部転輪２４に巻回されたクローラベルト２５と、トラックフレーム２２の下方に配置した前後一対のクローラガイド２６，２７とを備えて構成してある。
【００２４】
図３，６に示すように、トラックフレーム２２は、走行装置上下方向に重ね合わせて連結された２本の角形鋼管材の一方の角形鋼管材で成る下フレーム部２２ａと他方の角形鋼管材で成る上フレーム部２２ｂとを備えて構成してある。
【００２５】
図３，５，６に示すように、クローラベルト２５は、ゴム製のクローラベルト本体２５ａと、このクローラベルト本体２５ａの長手方向に所定の芯金間隔を隔てて並べてクローラベルト本体２５ａに埋設された複数本の芯金２５ｂとを備えて構成してある。各芯金２５ｂは、クローラベルト本体２５ａの横幅方向に所定間隔を隔てて並ぶ左右一対の芯金突起２５ｃ，２５ｃをクローラベルト本体２５ａからこれの内面側に突出する状態で一体成形されて備えている。
【００２６】
クローラ駆動輪２０は、機体フレーム４の前端部に設けられた走行ミッションケース９（図１参照）に駆動回転自在に支持され、クローラ駆動輪２０の周面に周設されているベルト駆動突起をクローラベルト本体２５ａの芯金２５ｂどうしの間に設けられている駆動孔２５ｄ（図６参照）に係入させてクローラベルト２５を回転駆動する。
【００２７】
上部転輪２４は、トラックフレーム２２から上方向きに突設された支持フレーム２８の上端部に回転自在に支持され、クローラベルト２５のトラックフレーム２２より上方に位置する部位に案内作用する。
【００２８】
図４，５，６に示すように、各接地転輪２３は、クローラベルト２５の横幅方向に所定間隔を隔てて並ぶ左右一対の輪体部２３ａ，２３ａを各輪体部２３ａよりも小外径の連結筒部２３ｂによって一体回転自在に連結された状態で備えて構成してあり、左右一対の輪体部２３ａ，２３ａによって左右一対の芯金突起２５ｃ，２５ｃを挟む状態でクローラベルト２５の内面側に案内作用するように外転輪型になっている。
【００２９】
図３に示すように、前後一対のクローラガイド２６，２７は、各クローラガイド２６，２７上部側に一体成形して設けた前後一対の走行装置上下向きのアーム形のガイド取付け部２６ａ，２６ａ、２７ａ，２７ａによってトラックフレーム２２の下フレーム部２２ａに連結されている。
【００３０】
前後一対のクローラガイド２６，２７のうちの後側のクローラガイド２７は、図３，４，５，６に示すように、クローラベルト２５の内面側のうちの走行装置後方側の２個の接地転輪２３による案内作用を受ける部位に、クローラベルト２５の長手方向に沿って位置する状態で、かつクローラベルト２５の左右一対の芯金突起２５ｃ、２５ｃの間に入り込む状態で位置している。したがって、クローラベルト２５は、走行装置後方側の２個の接地転輪２３，２３から外れないように後側のクローラガイド２７によって案内される。
【００３１】
前後一対のクローラガイド２６，２７のうちの前側のクローラガイド２６は、図３に示すように、クローラベルト２５の内面側のうちの走行装置前方側の３個の接地転輪２３による案内作用を受ける部位に、クローラベルト２５の長手方向に沿って位置する状態で、かつクローラベルト２５の左右一対の芯金突起２５ｃ，２５ｃの間に入り込む状態で位置している。したがって、クローラベルト２５は、走行装置前方側の３個の接地転輪２３から外れないように前側のクローラガイド２６によって案内される。
【００３２】
図３，４，５，６に示すように、クローラ張力調整機構３０は、前記クローラ緊張輪３１を備える他、トラックフレーム２２の後端部に支持される鋳造製の張力調整フレーム３２、この張力調整フレーム３２の後端部に設けたネジ受け部３２ａと後側のクローラガイド２７が備える後側のガイド取付け部２７ａの上端部に設けたネジ軸係合部３３とに連結した調節ネジ軸３４を備えて構成してある。
【００３３】
ガイド取付け部２７ａの上部延長部２７Ａは、トラックフレーム２２の下フレーム部２２ａに設けた取付け座部２２ｃへの連結ボス部２７ｃから斜め内方上方に傾斜するように屈曲した状態で延出されており、その延出端部にネジ軸係合部３３が備えられている。ガイド取付け部２７ａは、側面視で上端側ほど前後長さが短い略三角形状に形成されており、その外面側及び内面側に連結ボス部２７ｃ及びネジ軸係合部３３に亘る補強リブ２７Ｂ，２７Ｃが形成されている。クローラガイド２７は、鋳物製であり、上部延長部２７Ａ、補強リブ２７Ｂ，２７Ｃ及びネジ軸係合部３３が一体的に形成されている。
【００３４】
クローラ緊張輪３１は、張力調整フレーム３２の後端部から走行装置横外向きに突出された支軸３５の突出端部に回転自在に支持されている。
【００３５】
張力調整フレーム３２は、トラックフレーム２２の上フレーム部２２ｂの後端部に摺動自在に内嵌しており、トラックフレーム２２の後端部に前後摺動自在に支持されている。
【００３６】
調節ネジ軸３４は、張力調整フレーム３２のネジ受け部３２ａに設けたメネジ孔に螺合したオネジ軸部３４ａと、後側のクローラガイド２７の後側のガイド取付け部２７ａに位置するネジ軸係合部３３に支持される操作軸部３４ｂとを一体回転自在に備えて構成してある。
【００３７】
図４に示すように、ガイド取付け部２７ａのネジ軸係合部３３は、ネジ軸係合部３３を走行装置前後方向に貫通するネジ軸孔３３ａと、ネジ軸係合部３３の後面側のネジ軸孔３３ａの周囲に位置する係止部３３ｂとを備え、ネジ軸孔３３ａによって調節ネジ軸３４の操作軸部３４ｂを相対回転及び係脱自在に支持し、係止部３３ｂによって調節ネジ軸３４の操作軸部３４ｂに設けられた大径部３４ｃにスラストリング３６を介して係止して調節ネジ軸３４をクローラベルト２５の張力に抗して係止する。
【００３８】
したがって、クローラ張力調整機構３０は、調節ネジ軸３４の操作軸部３４ｂにおける六角軸部にハンドル（図示せず）を作用させて調節ネジ軸３４が回転操作されることにより、調節ネジ軸３４がネジ軸係合部３３における係止部３３ｂを反力点にしてオネジ軸部３４ａによってネジ受け部３２ａを螺進操作することによって、張力調整フレーム３２をトラックフレーム２２に対して前後に位置変更調節してクローラ緊張輪３１を前後方向に位置変更する。そして、後方側に位置変更されるクローラ緊張輪３１がクローラベルト２５の緊張力を増加側に調節し、前方側に位置変更されるクローラ緊張輪３１がクローラベルト２５の緊張力を減少側に調節する。
【００３９】
図３，４，５に示すように、後側のクローラガイド２７の前後のガイド取付け部２７ａ，２７ａが、トラックフレーム２２の下フレーム部２２ａに設けられた上下一対の取付け座部２２ｃに連結ボルト２７ｂによって脱着されることによって後側のクローラガイド２７をトラックフレーム２２に対して脱着できるように構成して、図７（ａ），（ｂ）に示す取り外し要領によってクローラベルト２５を取り外せるようにしてある。
【００４０】
すなわち、図４に示すクローラ張力調整機構３０は、クローラベルト２５に駆動用の緊張力を付与する状態を示している。図７（ａ）に示すように、調節ネジ軸３４を図４に示す操作位置から緩み側に回転操作し、クローラ緊張輪３１を前側（緩み側）に位置変更させてクローラベルト２５の張力を減少させる。図７（ｂ）に示すように、クローラベルト２５が緩み状態になって後側のクローラガイド２７のガイド取付け部２７ａにおけるネジ軸係合部３３にクローラベルト２５の張力が掛からなくなると、後側のクローラガイド２７における前後のガイド取付け部２７ａ，２７ａに装着されている連結ボルト２７ｂをトラックフレーム２２の取付け座部２２ｃから取り外し、前後のガイド取付け部２７ａ，２７ａを下フレーム部２２ａから取り外し、後側のクローラガイド２７をトラックフレーム２２から取り外すとともに接地転輪２３及びクローラベルト２５から取り外し、かつ、クローラガイド２７のネジ軸係合部３３による調節ネジ軸３４に対する支持を解除して調節ネジ軸３４を緩み側（前側）に移動させ、張力調整フレーム３２を調節ネジ軸３４と共に緩み側（前側）に移動させてクローラ緊張輪３１のクローラベルト２５に対する係合を解除し、クローラベルト２５を取り外す。
【００４１】
図８は、フィーダ１１を脱穀装置５に連結する連結構造を示す縦断正面図である。この図に示すように、フィーダ１１を脱穀装置５に連結する連結構造では、フィーダ１１の搬送ダクト１１ｂにおける搬送終端部に、フィーダコンベヤ１１ａの駆動軸１１ｃを回転自在に支持する支持筒に兼用の左右一対の連結筒４０，４０を設け、各連結筒４０を、脱穀装置５の機体における前壁５ａに刈取り穀稈供給口５ｂの横側に配置して、かつ搬送ダクト１１ｂの横側に配置して設けた支持体４１が有するボス部４２に回転自在に内嵌させてある。
【００４２】
搬送ダクト１１ｂの左右の横側壁１１ｄの外面側に環状のスラスト部材４３を連結筒４０と同芯状に配置して付設してある。左右のスラスト部材４３は、フィーダ１１が昇降操作される際、フィーダ１１の昇降軸芯Ｐから連結筒４０の外側に離れた箇所で支持体４１の側面４１ａに摺接し、ヘッダ部１２がこれの走行機体横方向での中心に対して偏倚した位置でフィーダ１１に連結していることに起因して連結筒４０とボス部４２の間にこじれが発生することを抑制する。
【００４３】
〔別実施形態〕
（１）  図９は、フィーダ１１を脱穀装置５に連結する連結構造であって、別実施形態を備えた連結構造を示す縦断正面図である。この図に示すように、別の実施形態を備えた連結構造では、搬送ダクト１１ｂに設けた左右一対の連結筒４０，４０にスラスト部材４４を一体成形してある。
【００４４】
各スラスト部材４４は、連結筒４０とボス部４２の間にこじれが発生することを抑制するように支持体４１の側面４１ａに摺接する環状のスラスト本体４４ａと、連結筒４０から放射状に延出してスラスト本体４４ａと連結筒４０を連結する複数本の連結アーム４４ｂとを備えている。
【００４５】
（２）  図１０は、第１の別実施形態を備えたクローラ張力調整機構３０を示す側面図である。この図に示すように、第１の別実施形態を備えたクローラ張力調整機構３０では、張力調整フレーム３２から横向きに突出する支軸３５と調節ネジ軸３４の間に介在するネジ軸受け部材３８を備えるとともに、後側のクローラガイド２７の後側のガイド取付け部２７ａに設けたネジ軸係合部３３は、調節ネジ軸３４の軸芯Ｘがクローラ緊張輪３１の回転軸芯Ｙを通る状態で調節ネジ軸３４を係止するように構成してある。
【００４６】
ネジ軸受け部材３８は、張力調整フレーム３２から走行機体横外側向きに延出する支軸３５の外周面に沿った湾曲形状の当接面３８ａを一端側に備えてこの当接面３８ａで支軸３５に当接し、他端側にメネジ筒部３８ｂを備えてこのメネジ筒部３８ｂで調節ネジ軸３４のオネジ軸部３４ａに連結している。
したがって、ネジ軸受け部材３８は、調節ネジ軸３４が回転操作されることにより、調節ネジ軸３４のオネジ軸部３４ａによって調節ネジ軸３４の軸芯Ｘに沿って螺進操作され、当接面３８ａで支軸３５を受け止め支持しながらクローラ緊張輪３１を前後方向に位置変更する。
【００４７】
図１１は、図１０のＸＩ−ＸＩ断面矢視図である。この図及び図１０に示すように、調節ネジ軸３４及びネジ軸係合部３３は、トラックフレーム２２の上フレーム部２２ｂの横外側近くに位置している。調節ネジ軸３４及びネジ軸係合部３３は、側面視でトラックフレーム２２の上下幅内に位置して、トラックフレーム２２から上方に突出していない。ガイド取付け部２７ａの上部延長部２７Ａは、トラックフレーム２２の下フレーム部２２ａに設けた取付け座部２２ｃへの連結ボス部２７ｃから横内方向きに屈曲した状態で延出されており、その延出端部にネジ軸係合部３３が備えられている。上部延長部２７Ａの外面側及び内面側に連結ボス部２７ｃ及びネジ軸係合部３３に亘る補強リブ２７Ｂ，２７Ｃが形成されている。クローラガイド２７は、鋳物製であり、上部延長部２７Ａ、補強リブ２７Ｂ，２７Ｃ及びネジ軸係合部３３が一体的に形成されている。
【００４８】
（３）  図１２は、第２の別実施形態を備えたクローラ張力調整機構３０を示す斜視図である。この図に示すように、第２の別実施形態を備えたクローラ張力調整機構３０では、張力調整フレーム３２がトラックフレーム２２の上フレーム部２２ｂに前後位置調節自在に内嵌され、上フレーム部２２ｂの角部に装着された突っ張りボルト５０を備えている。
【００４９】
図１３は、突っ張りボルト５０の作用状態を示す縦断面図である。この図に示すように、突っ張りボルト５０は、上フレーム部２２ｂの角部と、上フレーム部２２ｂの角部内に設けられたボルト支持部材５１とにわたって形成されたメネジ孔に装着されている。突っ張りボルト５０は、締め込み操作されることにより、張力調整フレーム３２の面取り部３２ｂに押圧作用し、張力調整フレーム３２のガタ付きが発生しないように、張力調整フレーム３２の面取り部３２ｂに対向した角部を形成する一対の側面３２ｃ，３２ｃを上フレーム部２２ｂの内面に押し付ける。
したがって、張力調整フレーム３２のガタ付きに起因した調節ネジ軸３４の折損やクローラベルト２５のクローラ緊張輪３１からの脱輪を防止できる。調節ネジ軸３４は、クローラベルト２５の張力に抗してクローラ緊張輪３１を支持する作用だけを発揮することになり、調節ネジ軸３４の周辺の構造を簡略化して軽量化及びコストダウンできる。
【００５０】
（４）  図１４は、第３の別実施形態を備えたクローラ張力調整機構３０を示す斜視図である。この図に示すように、第３の別実施形態を備えたクローラ張力調整機構３０では、張力調整フレーム３２がトラックフレーム２２の上フレーム部２２ｂに前後位置調節自在に内嵌され、上フレーム部２２ｂの対向し合う一対の角部に設けられた切り欠き溝５３及び締め付けボルト５４を備えている。
【００５１】
図１５は、締め付けボルト５４の作用状態を示す断面図である。この図に示すように、各締め付けボルト５４は、締め込み操作されることにより、上フレーム部２２ｂの切り欠き溝５３によって分割状態に形成された一対の分割後端部５５，５５を寄せ合い操作し、張力調整フレーム３２のガタ付きが発生しないように、一対の分割後端部５５，５５によって張力調整フレーム３２を挟持させる。
したがって、張力調整フレーム３２のガタ付きに起因した調節ネジ軸３４の折損やクローラベルト２５のクローラ緊張輪３１からの脱輪を防止できる。調節ネジ軸３４は、クローラベルト２５の張力に抗してクローラ緊張輪３１を支持する作用だけを発揮することになり、調節ネジ軸３４の周辺の構造を簡略化して軽量化及びコストダウンできる。
【産業上の利用可能性】
【００５２】
本発明は、コンバインの他、運搬車など各種の車両に装備されるクローラ走行装置に利用できる。
【符号の説明】
【００５３】
２２        トラックフレーム
２５        クローラベルト
２５ｃ      芯金突起
２７        クローラガイド
２７ａ      ガイド取付け部
３１        クローラ緊張輪
３２        張力調整フレーム
３３        ネジ軸係合部
３４        調節ネジ軸
３５        支軸
３８        ネジ軸受け部材
Ｘ          調節ネジ軸の軸芯
Ｙ          クローラ緊張輪の回転軸芯
【図１】
2011240849.tif 000003
【図２】
2011240849.tif 000004
【図３】
2011240849.tif 000005
【図４】
2011240849.tif 000006
【図５】
2011240849.tif 000007
【図６】
2011240849.tif 000008
【図７】
2011240849.tif 000009
【図８】
2011240849.tif 000010
【図９】
2011240849.tif 000011
【図１０】
2011240849.tif 000012
【図１１】
2011240849.tif 000013
【図１２】
2011240849.tif 000014
【図１３】
2011240849.tif 000015
【図１４】
2011240849.tif 000016
【図１５】
2011240849.tif 000017